(57)【要約】【課題】長寿命化、据付性、意匠性を備えるとともに、隙間への引き込まれ防止を確実に行うことができるエレベータードアシステムを得る。【解決手段】両方向に開閉するエレベーターかごのドア１ａ，１ｂと、ドア１ａ，１ｂとの間に所定の隙間３ａ，３ｂを確保しながら近接して設けられた柱２ａ，２ｂとを備えたエレベーターかごに設置されるエレベータードアシステムである。本エレベータードアシステムは、ドア１ａ，１ｂの先端に設けられたゼンマイ５ａ，５ｂと、一端がゼンマイ５ａ，５ｂに固定され、他端が柱２ａ，２ｂに固定されて、ドア１ａ、１ｂと柱２ａ，２ｂとの間の隙間３ａ，３ｂを覆うように配置された柔軟性シート６ａ，６ｂとを備え、ドア１ａ，１ｂの戸開時にはゼンマイ５ａ，５ｂの力で柔軟性シート６ａ，６ｂを巻き取り、ドア１ａ，１ｂの戸閉時にはドア１ａ，１ｂの力で柔軟性シート６ａ，６ｂが引き出される。【選択図】図１
2007153537.tif 000002
【特許請求の範囲】
【請求項１】
かご扉と前記かご扉との間に所定の隙間を設けて近接して設けられた柱とを有するエレベーターかごに対して設置するためのエレベータードアシステムであって、
前記かご扉の先端に設けられたゼンマイと、
一端が前記ゼンマイに固定され、他端が前記柱に固定されて、前記かご扉と前記柱との間の前記隙間を覆うように配置された柔軟性シートと
を備え、
前記かご扉の戸開時には前記ゼンマイの力で前記柔軟性シートを巻き取り、戸閉時には前記かご扉の閉まる力で前記ゼンマイに巻かれた前記柔軟性シートを引き出すことを特徴とするエレベータードアシステム。
【請求項２】
前記かご扉は両方向に開閉する１対のものであって、
前記ゼンマイは、その外周が弾性体で囲われた構成とし、
前記かご扉が全閉したときに、各前記かご扉の先端に設けられた前記ゼンマイの前記弾性体がつぶれて、前記ゼンマイは所定の接触面積で互いに接触することを特徴とする請求項１に記載のエレベータードアシステム。
【発明の詳細な説明】
【技術分野】
【０００１】
この発明はエレベータードアシステムに関し、特に、エレベーターのドアと柱の隙間に物等が引き込まれるのを防止するエレベータードアシステムに関する。
【背景技術】
【０００２】
エレベーターのドアと柱との隙間に手荷物等の物が引き込まれるのを防止する安全装置の一例として、隙間を柔軟性のあるシートで完全に覆うタイプの装置が提案されている。この種の柔軟性シートとして、一端が柱に固定されて、もう一端がバネ等の弾性体を介してドアまたはカゴの外壁などに固定されているものが提案されている（例えば、特許文献１及び特許文献２参照）。
【０００３】
例えば、特許文献１では、エレベーターかごの内側からドアの先端部分を覆うようにしてドアの外壁まで柔軟性シートを延ばし、エレベーターかごの外壁にブラケットを取り付けて、これと柔軟性シートの一端をバネでつないでいる。
また、特許文献２では、ドア本体にスリットを設け、エレベーターかごの柱から延ばした柔軟性シートを当該スリットに通してドアの内部に引き込み、ドア内部に設けられたバネに、柔軟性シートの一端を固定している。
【０００４】
【特許文献１】特開２０００−１７７９５９号公報
【特許文献２】特開２００２−０２００６６号公報
【発明の開示】
【発明が解決しようとする課題】
【０００５】
しかしながら、上記特許文献１および２に記載されている従来装置で適用されているバネ等の弾性体は、ドアの内部或いはカゴの外側に配置されており、取り付け・取替えが困難である。
【０００６】
また、特許文献１ではドアの開閉中に柔軟性シートがドアに接しながら動くため、摩擦による摩耗により、経年劣化してしまうという問題点があった。
【０００７】
特許文献２では、その問題は無いが、乗客から見えるドアの面に柔軟性シートが出入りするスリットがあり、当該スリットからドア内部が見えてしまうので、意匠性を改善する必要があるという問題点があった。
【０００８】
この発明は、かかる問題点を解決するためになされたものであり、長寿命化、据付性、意匠性を備え、確実に引き込まれ防止を行うことが可能なエレベータードアシステムを得ることを目的としている。
【課題を解決するための手段】
【０００９】
この発明は、かご扉と前記かご扉との間に所定の隙間を設けて近接して設けられた柱とを有するエレベーターかごに対して設置するためのエレベータードアシステムであって、前記かご扉の先端に設けられたゼンマイと、一端が前記ゼンマイに固定され、他端が前記柱に固定されて、前記かご扉と前記柱との間の前記隙間を覆うように配置された柔軟性シートとを備え、前記かご扉の戸開時に前記ゼンマイの力で前記柔軟性シートを巻き取り、戸閉時には前記かご扉の閉まる力で前記ゼンマイに巻かれた前記柔軟性シートを引き出すことを特徴とするエレベータードアシステムである。
【発明の効果】
【００１０】
この発明は、かご扉と前記かご扉との間に所定の隙間を設けて近接して設けられた柱とを有するエレベーターかごに対して設置するためのエレベータードアシステムであって、前記かご扉の先端に設けられたゼンマイと、一端が前記ゼンマイに固定され、他端が前記柱に固定されて、前記かご扉と前記柱との間の前記隙間を覆うように配置された柔軟性シートとを備え、前記かご扉の戸開時に前記ゼンマイの力で前記柔軟性シートを巻き取り、戸閉時には前記かご扉の閉まる力で前記ゼンマイに巻かれた前記柔軟性シートを引き出すことを特徴とするエレベータードアシステムであるので、長寿命化、据付性、意匠性を備え、確実に引き込まれ防止を行うことができる。
【発明を実施するための最良の形態】
【００１１】
実施の形態１．
図１はこの発明の実施の形態１におけるエレベータードアシステムのドアの水平断面図である。図１において、エレベーターかごの前側板間に設けられた出入口に設けられたドア１ａ，１ｂ（かご扉）は、両方向（左右）に開くタイプである。ドア１ａ，１ｂは、ドア１ａ，１ｂに対して近接して設けられているエレベーターかごの柱２ａ，２ｂとの間に所定の隙間３ａ，３ｂを保ちながら、エレベーターかごのドア１ａ，１ｂの上方部分に設けられたドアレールにガイドされて両方向に開閉する。図１において、図面の上側部分がエレベーターかごの内部にあたり、図面の下側部分がエレベーターかごの外側にあたる。従って、ドア１ａ，１ｂは、柱２ａ，２ｂよりも外側の位置に設けられている。
【００１２】
また、ドア１ａ，１ｂには、接触式の安全装置で、戸閉動作中に物などが当たった場合に反転して戸開させるためのセーフティーシュー４が設けられている。セーフティーシュー４は、ドア１ａ，１ｂの先端に設けられており、通常、ドア１ａ，１ｂの高さ方向の全長にわたり、ドア１ａ，１ｂの先端より僅かに突出させておき、戸が閉まりかけているときに、物や人がこれに当たると引っ込むとともに、内蔵するスイッチが作動して、ドア１ａ，１ｂが反転して開く構成となっている。また、ドア１ａ，１ｂには、ドア１ａ，１ｂに同期させて乗場ドア（図示せず）を開閉させるために、ドア１ａ，１ｂと乗場ドアとを係合している係合装置（図示せず）が設けられている。
【００１３】
また、ドア１ａ，１ｂの戸閉方向の先端には、それぞれ、ゼンマイ５ａ，５ｂが取り付けられている。ゼンマイ５ａ，５ｂには、柔軟性シート６ａ，６ｂの一端が固定されており、図１に示すように、柔軟性シート６ａ，６ｂはゼンマイ５ａ，５ｂの円周に沿って巻回されている。柔軟性シートの他の一端は、エレベーターかごの柱２ａ，２ｂに留め具７ａ，７ｂにより固定されている。したがって、ドア１ａ，１ｂと柱２ａ，２ｂとの間の隙間３ａ，３ｂは柔軟性シート６ａ，６ｂによって覆われて塞がれており、乗客からは隙間３ａ，３ｂは全く見えない構成になっている。また、ドアの内部或いはエレベーターかごの外側を柔軟性シート６ａ，６ｂが一切通らない構造としたため、取り付け・取り替えが簡単である。ドア１ａ，１ｂには、柔軟性シートが出入りするスリット等が全く設けられていないため、ドア１ａ，１ｂの内部が乗客の目に曝されることなく、高い意匠性を有することができる。
【００１４】
本実施の形態に係るゼンマイ５ａ，５ｂの断面図を図２に示す。図２に示すように、ゼンマイ５ａ，５ｂは、中心部に設けられた軸Ａと、軸Ａを中心として回転する円筒状のゼンマイ本体Ｂと、ゼンマイ本体Ｂの外側に設けられてゼンマイ本体Ｂの外周を囲っているゴム等の弾性体Ｃとから構成されている。軸Ａ、ゼンマイ本体Ｂおよび弾性体Ｃとは、図２に示すように、互いに密着されて設けられており、これらは互いに滑ることなく、軸Ａを中心として一体化して一緒に回転する。また、ゼンマイ本体Ｂは柔軟性シート６ａ，６ｂを自身の力で巻き取る機能を有している。ゼンマイ５ａ，５ｂは弾性体Ｃの外周に柔軟性シート６ａ，６ｂを巻きつけて使用される。
【００１５】
上述のように、ゼンマイ５ａ，５ｂを用いた理由をここで図３を用いて説明する。図３はドア１ａ，１ｂが全閉した状態を示しており、ゼンマイ５ａ，５ｂの互いに接する部分が弾性体Ｃの性質でつぶれて、面で接触している（所定の接触面積をとって互いに接触している）。仮にゼンマイ５ａ，５ｂがつぶれずに円筒形を維持したまま全閉する場合を考えると、弾性体Ｃが面ではなく線で互いに接触することになるが、この場合、ゼンマイ５ａ，５ｂの間に乗客が指等を押し入れようとすると、指等が接触領域を通過してエレベーターかごの外に突き出てしまう可能性がある。そこで、本実施の形態においては、全閉時以外は円筒形を保ち、全閉時は互いの接触部分をつぶして接触面積を広く取り、乗客が指等をたとえ両ゼンマイ５ａ，５ｂの間に入れても、奥まで押し込みにくくして、エレベーターかごの外に指等が突き出ることのないようにしている。
【００１６】
このため、戸開開始時、または、戸閉終了間際には、ゼンマイ５ａ，５ｂがつぶれて柔軟性シート６ａ，６ｂが互いに接しながら動くが、上記２つのゼンマイ５ａ，５ｂは互いに逆方向で同じ回転速度で回転するため、柔軟性シート６ａ，６ｂの摩耗は無いため、長寿命化を実現できる。
【００１７】
図４は、図１のドアの片方を示した（ａ）上面図と（ｂ）正面図である。なお、図４においては、柔軟性シート６ａ，６ｂやセーフティーシュー４は図示を省略している。また、ドア１ａ，１ｂは同様の構造を有しているため、ここでは、ドア１ａの構造のみを説明する。
【００１８】
図４に示すように、ゼンマイ５ａは、高さ方向にドア１ａとほぼ同じ長さを有しており（ドア１ａの方が若干長い）、また、ゼンマイ５ａの軸Ａはゼンマイ本体Ｂよりも高さ方向に若干長い長さを有しいて、ゼンマイ本体Ｂから上下端が突き出ている。軸Ａの突き出たそれらの上下端は、図４に示すように、ドア１ａの上下端に留め具８ａ，８ｂにより固定される。ドア１ａの上下端には、図４に示すように、それぞれ、ドア１ａを構成している上板１０ａおよび下板１０ｂが設けられている。上板１０ａおよび下板１０ｂは、ゼンマイ５ａの軸Ａを固定するために、ドア１ａの本体よりも所定長さＬ分だけ戸閉方向に突き出た突出部１０ａａを有している。ただし、全閉時にはゼンマイ５ａの外周がつぶれるため、ドア１ａ，１ｂの上板１０ａどうしおよび下板１０ｂどうしが互いにぶつからないよう、突出部１０ａａの突き出す量Ｌは制限される。具体的には、ゼンマイ５ａの外周がつぶれていない状態のゼンマイ５ａの直径よりも短く、半径よりも長い長さにＬを設定することが望ましい。軸Ａは、突出部１０ａａ部分に、留め具８ａ，８ｂにより固定される。なお、図４においては、構造をわかりやすく示すために、ゼンマイ５ａとドア１ａとの間、および、上板１０ａおよび下板１０ｂとゼンマイ５ａとの間に、隙間があるように図示しているが、実際には、ゼンマイ５ａ，５ｂが摩耗しないように接触はしていないものの、乗客が指等を入れることができない程度に近接して設けられていることとする。これにより、摩耗はないため、長寿命化を確保することができる。
【００１９】
戸開時にドア１ａ，１ｂが戸開方向に動くと、ゼンマイ５ａ，５ｂの自身の力で柔軟性シート６ａ，６ｂが自動的に巻き取られる。また、戸閉時にドア１ａ，１ｂが戸閉方向に動くと、ドア１ａ，１ｂが閉まる力でゼンマイ５ａ，５ｂに巻かれた柔軟性シート６ａ，６ｂが徐々に引き出されて、伸ばされていく。これらの動作により、柔軟性シート６ａ，６ｂはたるむことなく、スムーズに巻き取りおよび引き出しが行われる。隙間３ａ，３ｂは柔軟性シート６ａ，６ｂで覆われているので、物や指等が引き込まれることは絶対にない。なお、柔軟性シート６ａ，６ｂは、隙間３ａ，３ｂを出来るだけ確実に覆うために、ドア１ａ，１ｂの高さ方向のほぼ全長にわたって設けられている。
【００２０】
以上のように、本実施の形態によれば、ドア１ａ，１ｂにスリット等を設けることなく、柔軟性シート６ａ，６ｂを設置し、両側のドア１ａ，１ｂの先端に１対のゼンマイ５ａ，５ｂを設けて、それにより自動的に柔軟性シート６ａ，６ｂを巻き取るようにしたので、確実に引き込まれ防止の機能を確保しながら、意匠面の向上を実現させたエレベータードアシステムを提供することができる。また、戸開開始時、または、戸閉終了間際には、ゼンマイ５ａ，５ｂがつぶれて柔軟性シート６ａ，６ｂが互いに接しながら動くものの、これらの２つのゼンマイ５ａ，５ｂは互いに逆方向で同じ回転速度で回転するようにしたため、柔軟性シート６ａ，６ｂの摩耗は無く、長寿命化を実現することができる。さらに、ドア１ａ，１ｂの上下端で簡単に固定できるゼンマイ５ａ，５ｂにしたことと、ドア１ａ，１ｂの内部あるいはエレバーターかごの外側には柔軟性シート６ａ，６ｂが一切通らない構成にしたことにより、取り付け・取り替え作業が非常に簡単である。
【図面の簡単な説明】
【００２１】
【図１】この発明の実施の形態１に係るエレベータードアシステムの構成を示した断面図である。
【図２】この発明の実施の形態１に係るエレベータードアシステムにおけるゼンマイの構成を示した断面図である。
【図３】この発明の実施の形態１に係るエレベータードアシステムの構成を示した断面図である。
【図４】この発明の実施の形態１に係るエレベータードアシステムの構成を示した（ａ）上面図及び（ｂ）正面図である。
【符号の説明】
【００２２】
１ａ，１ｂ  ドア、２ａ，２ｂ  柱、３ａ，３ｂ  隙間、４  セーフティーシュー、５ａ，５ｂ  ゼンマイ、６ａ，６ｂ  柔軟性シート、７ａ，７ｂ  留め具、８ａ，８ｂ  留め具、１０ａ  上板、１０ａａ  突出部、１０ｂ  下板。
【図１】
2007153537.tif 000003
【図２】
2007153537.tif 000004
【図３】
2007153537.tif 000005
【図４】
2007153537.tif 000006